(57)【特許請求の範囲】
【請求項１】
現在受信中の放送番組と同一内容の放送番組を追従受信する放送受信装置であって、
ネットワーク周波数及び、このネットワーク周波数に収容される複数の放送番組に関わる放送周波数を有する第１情報と、各放送番組を識別する第２情報と、同一内容の放送番組を識別する第３情報とを受信信号から抽出し、これら第１情報、第２情報及び第３情報を記憶する情報記憶手段と、
現在受信中の放送番組の受信状態が劣化すると、前記第１情報に基づいて、この放送番組を収容するネットワーク周波数とは異なる他のネットワーク周波数を検索し、この他のネットワーク周波数に収容される放送周波数を前記情報記憶手段から検索する第１検索手段と、
現在受信中の放送番組の受信状態が劣化すると、前記第１情報に基づいて、この放送番組を収容するネットワーク周波数とは異なる他のネットワーク周波数を検索し、この他のネットワーク周波数に収容される放送周波数から、前記第２情報に基づいて、前記受信状態の劣化した放送番組と同一内容の放送番組に関わる放送周波数を前記情報記憶手段から検索する第２検索手段と、
現在受信中の放送番組の受信状態が劣化すると、前記第３情報に基づいて、この放送番組と同一内容の放送番組を検索し、この検索された放送番組の放送周波数を前記第１情報及び第２情報に基づいて前記情報記憶手段から検索する第３検索手段と、
前記情報記憶手段に第１情報が記憶され、且つ第２情報及び第３情報が記憶されていなければ前記第１検索手段を選択し、前記情報記憶手段に第１情報及び第２情報が記憶され、且つ第３情報が記憶されていなければ前記第２検索手段を選択し、前記情報記憶手段に第１情報、第２情報及び第３情報が記憶されていれば前記第３検索手段を選択する選択手段と、
この選択手段にて選択された第１検索手段、第２検索手段又は第３検索手段にて検索された放送周波数への追従動作を実行することで、前記受信状態の劣化した放送番組と同一内容の放送番組を追従受信する追従手段とを有することを特徴とする放送受信装置。
【請求項２】
前記情報記憶手段に第１情報、第２情報及び第３情報のいずれも記憶されていないか否かを判定する記憶判定手段を有し、
前記追従手段は、
前記記憶判定手段にて第１情報、第２情報及び第３情報のいずれも記憶されていないと判定されると、全放送周波数へのシーク動作を実行することで、前記受信状態の劣化した放送番組と同一内容の放送番組を追従受信することを特徴とする請求項１記載の放送受信装置。
【発明の詳細な説明】
【０００１】
【発明の属する技術分野】
本発明は、例えばディジタル・オーディオ・ブロードキャスティング（以下、単にＤＡＢと称する）方式内で同一内容の放送番組を追従受信する同一番組追従機能を備えた、ＤＡＢ受信機等の放送受信装置に関する。
【０００２】
【従来の技術】
通常のラジオ放送は、一つの放送周波数に一つの放送番組が配信される構成としているのに対し、一般的にＤＡＢ方式の放送は、通常のラジオ放送と異なり、１つのネットワーク周波数（以下、アンサンブルという）で複数の放送番組が配信される構成としている。
【０００３】
従って、ＤＡＢ方式の放送を受信するＤＡＢ受信機においては、一つのアンサンブルを受信し、このアンサンブル内の複数の放送番組から所望の放送番組を選択することができる構成としている。
【０００４】
一般的にＤＡＢ方式の受信エリアにおいては、各アンサンブルを識別するＥＩｄ（Ensemble Identifier）コードと、各放送番組を識別するＳＩｄ（Service Identifier）コードと、同一放送番組を識別するＬＳＮ（Linkage Set Number）コードと、地域を示す地域コード等とをＤＡＢデータとして配信している。
【０００５】
ＥＩｄコードとは、アンサンブルと、このアンサンブル内の複数の放送番組に関わる放送周波数とを有し、アンサンブルのリンク関係を示す情報である。
【０００６】
ＳＩｄコードとは、放送番組を識別するものであり、ＥＩｄコードとのリンク関係を示す情報である。
【０００７】
ＬＳＮコードとは、複数の放送番組の内、同一内容の放送番組を識別するためのものであり、ＳＩｄコードとのリンク関係を示す情報である。
【０００８】
これらＤＡＢ方式にて配信を受けたＤＡＢ受信機によれば、これら配信されたＳＩｄコード、ＥＩｄコード及びＬＳＮコードを活用することで、受信エリア内で放送中の同一番組の放送周波数を認識することができる。
【０００９】
つまり、このようなＤＡＢ受信機によれば、図５に示すようにＥＩｄコード及びＳＩｄコードを受信することで、各アンサンブル毎に、このアンサンブル内の複数の放送番組及び、各放送番組の放送周波数を管理するネットワーク管理データベース３０を作成することができる。
【００１０】
このネットワーク管理データベース３０によれば、例えばアンサンブル（ＥＩｄ＝Ａ００１）と、このアンサンブルに収容される放送周波数（２３９．２００及び２２３．９３６等）と、このアンサンブルに収容される放送周波数に対応した放送番組（ＳＩｄ＝Ｃ２２１，Ｃ２２５，Ｃ２２９）とを関連付けて記憶管理することで、例えばアンサンブル（ＥＩｄ＝Ａ００１）に放送周波数（２３９．２００,２２３．９３６等）の放送番組（ＳＩｄ＝Ｃ２２１，Ｃ２２５，Ｃ２２９）が収容されているものと認識することができる。
【００１１】
さらに、ＤＡＢ受信機によれば、図６に示すようにＬＳＮコードを受信することで、同一内容の放送番組を管理するリンケージ管理データベース４０を作成することができる。
【００１２】
このリンケージ管理データベース４０によれば、同一内容の放送番組を識別するＬＳＮコード（ＬＳＮ＝２）と、このＬＳＮコードに対応した同一内容の放送番組を配信している放送番組（ＳＩｄ＝Ｃ２２１、Ｃ２２２）とを関連付けて記憶管理することで、例えばＳＩｄコードがＣ２２１，Ｃ２２２と異なっていたとしても、同一のＬＳＮコード（ＬＳＮ＝２）であれば、これらＣ２２１，Ｃ２２２の放送番組は同一内容であるものと認識することができる。
【００１３】
これらネットワーク管理データベース３０及びリンケージ管理データベース４０を作成したＤＡＢ受信機によれば、例えば走行中にＳＩｄ＝Ｃ２２１の放送番組の受信状態が劣化すると、前記リンケージ管理データベース４０からＳＩｄ＝Ｃ２２１に対応するＬＳＮコードを検索し、このＬＳＮコードが２であることを認識する。
【００１４】
次にＤＡＢ受信機は、このＬＳＮ＝２に対応するＳＩｄコードを検索し、Ｃ２２１と同一内容の放送番組を放送しているＣ２２２を認識する。
【００１５】
さらに、このＤＡＢ受信機は、その追従対象をＣ２２２に決定し、前記ネットワーク管理データベース３０を通じてＳＩｄ＝Ｃ２２２に対応した放送番組の放送周波数２２５．６４８を検索し、この放送周波数に基づいて追従動作を実行する。
【００１６】
従って、このようなＤＡＢ受信機によれば、例えばＤＡＢ方式で受信中の番組の受信状態が劣化したとしても、前記ＬＳＮコードを利用することで現在受信中の放送番組と同一内容の放送番組に対応するＳＩｄコードを検索し、このＳＩｄコードに対応した放送周波数に基づいて同一内容の放送番組に追従することができる。
【００１７】
【発明が解決しようとする課題】
しかしながら、上記従来のＤＡＢ受信機によれば、ＳＩｄコード、ＥＩｄコード及びＬＳＮコードの３種類の情報を取得して、図５に示すネットワーク管理データベース３０及び図６に示すリンケージ管理データベース４０を作成し、これら作成したデータベース３０，４０に基づいて同一番組の追従動作を行うようにしたが、これらの情報が完全にそろわない場合には、取得した情報を活用することなく、単純に全放送周波数に対するシーク動作を行うことで同一番組への追従動作を行うようにしていたため、同一番組への追従動作が完了するまで無音状態が長時間続いてしまうといった問題点があった。
【００１８】
本発明は上記問題点に鑑みてなされたものであり、その目的とするところは、３種類の情報が完全に取得されなくても、取得した情報を最大限に活用することで、同一番組への追従動作を迅速に行うことができる放送受信装置を提供することにある。
【００１９】
【課題を解決するための手段】
上記目的を達成するために本発明の放送受信装置は、現在受信中の放送番組と同一内容の放送番組を追従受信する放送受信装置であって、ネットワーク周波数及び、このネットワーク周波数に収容される複数の放送番組に関わる放送周波数を有する第１情報を受信信号から抽出し、この第１情報を記憶する情報記憶手段と、現在受信中の放送番組の受信状態が劣化すると、この放送番組を収容するネットワーク周波数とは異なる他のネットワーク周波数を検索し、この他のネットワーク周波数に収容される放送周波数を前記情報記憶手段から検索する検索手段と、この検索手段にて検索された放送周波数への追従動作を実行することで、前記受信状態の劣化した放送番組と同一内容の放送番組を追従受信する追従手段とを有するようにした。
【００２０】
従って、本発明の放送受信装置によれば、ネットワーク周波数及び、このネットワーク周波数に収容される複数の放送番組に関わる放送周波数を有する第１情報に基づいて、受信状態が劣化した放送番組を収容するネットワーク周波数とは異なる他のネットワーク周波数を検索し、この他のネットワーク周波数に収容される放送周波数を検索し、この検索された放送周波数への追従動作を行うことで、受信状態の劣化した放送番組と同一内容の放送番組を追従受信するようにしたので、ＬＳＮコードやＳＩｄコードが取得されなくても、取得した第１情報（ＥＩｄコード）を最大限に活用することで、全放送周波数へのシーク動作を行うことなく、同一番組への追従動作を迅速に行うことができる。
【００２１】
本発明の放送受信装置は、現在受信中の放送番組と同一内容の放送番組を追従受信する放送受信装置であって、ネットワーク周波数及び、このネットワーク周波数に収容される複数の放送番組に関わる放送周波数を有する第１情報と、各放送番組を識別する第２情報とを受信信号から抽出し、これら第１情報及び第２情報を記憶する情報記憶手段と、現在受信中の放送番組の受信状態が劣化すると、この放送番組を収容するネットワーク周波数とは異なる他のネットワーク周波数を検索し、この他のネットワーク周波数に収容される放送周波数から、前記第２情報に基づいて、前記受信状態の劣化した放送番組と同一内容の放送番組に関わる放送周波数を前記情報記憶手段から検索する検索手段と、この検索手段にて検索された放送周波数への追従動作を実行することで、前記受信状態の劣化した放送番組と同一内容の放送番組を追従受信する追従手段とを有するようにした。
【００２２】
従って、本発明の放送受信装置によれば、ネットワーク周波数及び、このネットワーク周波数に収容される複数の放送番組に関わる放送周波数を有する第１情報と、各放送番組を識別する第２情報とに基づいて、受信状態が劣化した放送番組を収容するネットワーク周波数とは異なる他のネットワーク周波数を検索し、この他のネットワーク周波数に収容される放送周波数から、前記第２情報に基づいて、前記受信状態の劣化した放送番組と同一内容の放送番組に関わる放送周波数を検索し、この検索された放送周波数への追従動作を行うことで、受信状態の劣化した放送番組と同一内容の放送番組を追従受信するようにしたので、ＬＳＮコードが取得されなくても、取得した第１情報（ＥＩｄコード）及び第２情報（ＳＩｄコード）を最大限に活用することで、第２情報に基づいて番組内容を特定し、同一番組への追従動作をより迅速に行うことができる。
【００２３】
本発明の放送受信装置は、現在受信中の放送番組と同一内容の放送番組を追従受信する放送受信装置であって、ネットワーク周波数及び、このネットワーク周波数に収容される複数の放送番組に関わる放送周波数を有する第１情報と、各放送番組を識別する第２情報と、同一内容の放送番組を識別する第３情報とを受信信号から抽出し、これら第１情報、第２情報及び第３情報を記憶する情報記憶手段と、現在受信中の放送番組の受信状態が劣化すると、前記第１情報に基づいて、この放送番組を収容するネットワーク周波数とは異なる他のネットワーク周波数を検索し、この他のネットワーク周波数に収容される放送周波数を前記情報記憶手段から検索する第１検索手段と、現在受信中の放送番組の受信状態が劣化すると、前記第１情報に基づいて、この放送番組を収容するネットワーク周波数とは異なる他のネットワーク周波数を検索し、この他のネットワーク周波数に収容される放送周波数から、前記第２情報に基づいて、前記受信状態の劣化した放送番組と同一内容の放送番組に関わる放送周波数を前記情報記憶手段から検索する第２検索手段と、現在受信中の放送番組の受信状態が劣化すると、前記第３情報に基づいて、この放送番組と同一内容の放送番組を検索し、この検索された放送番組の放送周波数を前記第１情報及び第２情報に基づいて前記情報記憶手段から検索する第３検索手段と、前記情報記憶手段に第１情報が記憶され、且つ第２情報及び第３情報が記憶されていなければ前記第１検索手段を選択し、前記情報記憶手段に第１情報及び第２情報が記憶され、且つ第３情報が記憶されていなければ前記第２検索手段を選択し、前記情報記憶手段に第１情報、第２情報及び第３情報が記憶されていれば前記第３検索手段を選択する選択手段と、この選択手段にて選択された第１検索手段、第２検索手段又は第３検索手段にて検索された放送周波数への追従動作を実行することで、前記受信状態の劣化した放送番組と同一内容の放送番組を追従受信する追従手段とを有するようにした。
【００２４】
従って、本発明の放送受信装置によれば、情報の記憶状況に応じて、第１情報に基づく放送周波数への検索を行う第１検索手段、第１情報及び第２情報に基づく放送周波数への検索を行う第２検索手段、又は第１情報、第２情報及び第３情報に基づく放送周波数への検索を行う第３検索手段を切替選択可能にしたので、その情報の取得状況に応じて、その取得された情報を最大限に活用することで、全放送周波数へのシーク動作を行うことなく、同一番組への追従動作を迅速に行うことができる。
【００２５】
本発明の放送受信装置は、前記情報記憶手段に第１情報、第２情報及び第３情報のいずれも記憶されていないか否かを判定する記憶判定手段を有し、前記追従手段は、前記記憶判定手段にて第１情報、第２情報及び第３情報のいずれも記憶されていないと判定されると、全放送周波数へのシーク動作を実行することで、前記受信状態の劣化した放送番組と同一内容の放送番組を追従受信するようにした。
【００２６】
従って、本発明の放送受信装置によれば、第１情報、第２情報及び第３情報のいずれも取得できなかった場合には全放送周波数へのシーク動作を実行するようにしたので、これら第１情報、第２情報及び第３情報が取得できなかったとしても、同一番組への追従動作を確保することができる。
【００２７】
【発明の実施の形態】
以下、図面に基づいて本発明の放送受信装置における実施の形態を示すＤＡＢ受信機内部の概略構成を示すブロック図である。
【００２８】
図１に示すＤＡＢ受信機１０は、ＤＡＢ方式の放送番組を受信するＤＡＢ方式の放送番組を受信する受信アンテナ１１と、このＤＡＢ方式の放送番組の受信周波数を中間周波数に変換して増幅するＤＡＢフロントエンド部１２と、このＤＡＢフロントエンド部１２の出力からＤＡＢデータを解読するＤＡＢデコーダ部１３と、ＤＡＢフロントエンド部１２の出力からオーディオ信号を解読するオーディオデコーダ部１４と、このオーディオ信号をアナログ変換するＤ／Ａ変換部１５と、このオーディオ信号を増幅するアンプ部１６と、このアンプ部１６にて増幅されたオーディオ信号を音声出力するスピーカ部１７と、ＤＡＢフロントエンド部１２の出力に応じてＢＥＲを検出するＢＥＲ検出部１８と、様々な情報を表示する表示部１９と、様々な指令を入力する操作部２０と、このＤＡＢ受信機１０全体を制御する制御部２１とを有している。
【００２９】
このＤＡＢ受信機１０は、前述したようにアンサンブルを受信すると、このアンサンブル内の複数の放送番組から所望の放送番組を選択するようにしている。
【００３０】
制御部２１は、ＤＡＢデコーダ部１３にて解読されたＤＡＢデータ内のＳＩｄコード及びＥＩｄコードに基づいて、図２（図５）に示すようなネットワーク管理データベース３０を作成すると共に、ＤＡＢデコーダ部１３にて解読されたＤＡＢデータ内のＬＳＮコード及びＳＩｄコードに基づいて、図６に示すようなリンケージ管理データベース４０を作成し、これらネットワーク管理データベース３０及びリンケージ管理データベース４０を記憶保持する。
【００３１】
また、制御部２１は、ＢＥＲ検出部１８にて検出された現在受信中の放送番組のＢＥＲが所定レベル以上となると、現在受信中の放送番組の受信状態が劣化したものと判断し、前記ネットワーク管理データ３０及びリンケージ管理データベース４０に基づいて同一番組追従動作を実行するものである。
【００３２】
では、ここで制御部２１によるネットワーク管理データベース３０及びリンケージ管理データベース４０の作成例について説明する。
【００３３】
尚、ＤＡＢ受信機１０がＳＩｄコード、ＥＩｄコード及びＬＳＮコードを取得できた場合には、従来技術の欄でも説明したような図５及び図６に示すようなネットワーク管理データベース３０及びリンケージ管理データベース４０を記憶保持することができる。
【００３４】
また、ＳＩｄコード及びＥＩｄコードは取得できたのであるが、ＬＳＮコードは取得できなかった場合、制御部２１は、ＳＩｄコード及びＥＩｄコードに基づいて、図２に示すようなネットワーク管理データベース３０を作成し、図６に示すようなリンケージ管理データベース４０は作成しない。
【００３５】
また、ＥＩｄのみが取得ができ、ＳＩｄコード及びＬＳＮコードが取得できなかった場合、制御部２１は、ＥＩｄコードに基づいて、図３に示すようなＳＩｄコードのデータ内容がない状態のネットワーク管理データベース３０Ａを作成し、リンケージ管理データベース４０は作成しない。
【００３６】
尚、請求項に記載の情報記憶手段は、ＤＡＢデータを解読するＤＡＢデコーダ部１３と、このＤＡＢデコーダ部１３にて解読されたＳＩｄコード、ＥＩｄコード及びＬＳＮコードに基づいて作成したネットワーク管理データベース３０及びリンケージ管理データベース４０を記憶保持する制御部２１とで構成している。また、前記検索手段、第１検索手段、第２検索手段、第３検索手段、選択手段及び記憶判定手段は、制御部２１に相当するものである。さらに、前記追従手段は、ＤＡＢフロントエンド部１２と、このフロントエンド部２１を制御する制御部２１に相当するものである。
【００３７】
では、このようなＤＡＢ受信機１０の動作について説明する。図４は本実施の形態に示すＤＡＢ受信機１０の同一番組追従処理に関わる処理動作を示すフローチャートである。
【００３８】
この同一番組追従処理とは、現在受信中の放送番組の受信状態が劣化すると、この放送番組と同一内容の放送番組への追従動作を迅速に行うことができる処理をいう。
【００３９】
図４に示す制御部２１は、例えば現在受信中の放送番組（以下、ラストＳＩｄ）の受信状態が劣化したものと判断されると（ステップＳ１１）、このラストＳＩｄと同一内容の放送番組を受信するために、このラストＳＩｄに対応するＬＳＮコードをリンケージ管理データベース４０から検索するＬＳＮ検索動作を開始し（ステップＳ１２）、このリンケージ管理データベース４０からＬＳＮコードを確保することができたか否かを判定する（ステップＳ１３）。
【００４０】
このリンケージ管理データベース４０からＬＳＮコードを確保することができたのであれば、このＬＳＮコードに収容される、ラストＳＩｄと同一内容の放送番組に関わる他のアンサンブル内のＳＩｄコードを、ネットワーク管理データベース３０から検索するアンサンブル検索動作を開始し（ステップＳ１４）、このネットワーク管理データベース３０から、他のアンサンブル内で同一内容のＳＩｄコードを確保することができたか否かを判定する（ステップＳ１５）。
【００４１】
このネットワーク管理データベース３０から他のアンサンブル内のＳＩｄコードを確保することができたのであれば、このＳＩｄコードに対応する放送周波数を検索する周波数検索動作を開始し（ステップＳ１６）、このネットワーク管理データベース３０から放送周波数を確保することができたか否かを判定する（ステップＳ１７）。
【００４２】
尚、このステップＳ１７にて放送周波数を確保することができたと判断された場合におけるＤＡＢ受信機１０のＤＡＢデータ取得状況は、ＥＩｄコード、ＳＩｄコード及びＬＳＮコードが全て取得され、図５及び図６に示すようなネットワーク管理データベース３０及びリンケージ管理データベース４０が記憶保持されており、これらネットワーク管理データベース３０及びリンケージ管理データベース４０に基づいて放送周波数が確保されたものである。
【００４３】
ステップＳ１７にて放送周波数を確保することができたのであれば、この放送周波数に関わる追従動作を開始し（ステップＳ１８）、この放送受信周波数への追従動作によってラストＳＩｄと同一内容の放送番組を確保することができたか否かを判定する（ステップＳ１９）。
【００４４】
同一内容の放送番組を確保することができたのであれば、この確保した放送番組を受信設定し（ステップＳ２０）、当該処理動作を終了する。
【００４５】
また、ステップＳ１３にてリンケージ管理データベース４０からラストＳＩｄに対応するＬＳＮコードを確保することができなければ、このラストＳＩｄに基づいて、このラストＳＩｄと同一内容の放送番組に関わる他のアンサンブル内のＳＩｄコードを、ネットワーク管理データベース３０から検索するアンサンブル検索動作を開始し（ステップＳ２１）、このネットワーク管理データベース３０から他のアンサンブル内のＳＩｄコードを確保することができたか否かを判定する（ステップＳ２２）。
【００４６】
他のアンサンブル内のＳＩｄコードを確保することができたのであれば、このＳＩｄコードに対応する放送周波数を検索する周波数検索動作を開始し（ステップＳ２３）、このネットワーク管理データベース３０から放送周波数を確保することができたか否かを判定する（ステップＳ２４）。
【００４７】
尚、このステップＳ２４にて放送周波数を確保することができたと判断された場合におけるＤＡＢ受信機１０のＤＡＢデータ取得状況は、ＥＩｄコード及びＳＩｄコードのみが取得され、リンケージ管理データベース４０は作成されることなく、図２（図５）に示すようなネットワーク管理データベース３０のみが記憶保持されており、このネットワーク管理データベース３０に基づいて放送周波数が確保されたことになる。
【００４８】
ステップＳ２４にて放送周波数を確保することができたのであれば、この放送周波数に関わる追従動作を開始すべくステップＳ１８に移行する。
【００４９】
ステップＳ２２にて他のアンサンブル内のＳＩｄコードを確保することができなければ、ラストＳＩｄ及びラストＥＩｄに基づいて、他のアンサンブル内の放送周波数をネットワーク管理データベース３０Ａから検索する周波数検索動作を開始する（ステップＳ２５）。
【００５０】
尚、この状態においてＤＡＢ受信機１０のＤＡＢデータ取得状況は、ＥＩｄコードのみが取得され、リンケージ管理データベース４０は作成されることなく、図３に示すようなネットワーク管理データベース３０Ａのみが記憶保持されており、このネットワーク管理データベース３０Ａのみに基づいて放送周波数が確保されたことになる。
【００５１】
ステップＳ２５の周波数検索動作によって、ネットワーク管理データベース３０Ａから、放送周波数を確保することができたか否かを判定する（ステップＳ２６）。
【００５２】
この放送周波数を確保することができたのであれば、この放送周波数に関わる追従動作を開始すべくステップＳ１８に移行する。
【００５３】
また、ステップＳ２６にて放送周波数を確保することができなければ、全放送周波数へのシーク動作を開始し（ステップＳ２７）、ステップＳ１９に移行する。
【００５４】
また、ステップＳ１５にてネットワーク管理データベース３０から他のアンサンブル内のＳＩｄコードを確保することができない場合、又はステップＳ１７にてネットワーク管理データベース３０からＳＩｄコードに対応する放送周波数を確保することができない場合には、ラストＳＩｄに基づいて、このラストＳＩｄと同一内容の放送番組に関わる他のアンサンブル内のＳＩｄコードを、ネットワーク管理データベース３０から検索すべくステップＳ２１に移行する。
【００５５】
また、ステップＳ２４にてネットワーク管理データベース３０からＳＩｄコードに対応する放送周波数を確保することができない場合には、ラストＳＩｄ及びラストＥＩｄに基づいて、他のアンサンブル内の放送周波数を、ネットワーク管理データベース３０から検索すべくステップＳ２５に移行する。
【００５６】
また、ステップＳ１９にてラストＳＩｄと同一内容の放送番組を確保することができなかった場合には、ステップＳ１２に移行する。
【００５７】
本実施の形態によれば、ＬＳＮコード及びＳＩｄコードが取得できず、ＥＩｄコードしか取得できなかったとしても、このＥＩｄコードを最大限に活用することで、受信状態が劣化した放送番組を収容するアンサンブルとは異なるアンサンブルに収容される複数の放送周波数を検索し、これら検索された放送周波数に基づいて追従動作を行うことで、従来のような全放送周波数へのシーク動作を行うことなく、同一内容の放送番組への追従動作を迅速に行うことができる。
【００５８】
本実施の形態によれば、ＬＳＮコードが取得できなくても、ＳＩｄコード及びＥＩｄコードを取得することができれば、これらＥＩｄコード及びＳＩｄコードを最大限に活用することで、受信状態が劣化した放送番組を収容するアンサンブルとは異なるアンサンブルに収容される複数の放送周波数から、ＳＩｄコードに基づいて同一内容の放送番組に関わる放送周波数を検索し、この検索された放送周波数に基づいて追従動作を行うことで、従来のような全放送周波数へのシーク動作を行うことなく、同一内容の放送番組への追従動作を迅速に行うことができる。
【００５９】
さらに、本実施の形態によれば、ＳＩｄコード、ＥＩｄコード及びＬＳＮコードを全て取得できた場合はもちろんのこと、ＳＩｄコード及びＥＩｄコードのみが取得できた場合、又はＥＩｄコードのみが取得できた場合であっても、その取得されたコードを最大限に活用することで、全放送周波数へのシーク動作を行うことなく、同一番組への追従動作を迅速に行うことができる。
【００６０】
【発明の効果】
上記のように構成された本発明の放送受信装置によれば、ＬＳＮコードやＳＩｄコードが取得されなくても、取得した第１情報（ＥＩｄコード）を最大限に活用することで、受信状態が劣化した放送番組を収容するアンサンブルとは異なるアンサンブルに収容される複数の放送周波数を検索し、これら検索された放送周波数に基づいて追従動作を行うことで、従来のような全放送周波数へのシーク動作を行うことなく、同一内容の放送番組への追従動作を迅速に行うことができる。
【００６１】
本発明の放送受信装置によれば、ＬＳＮコードが取得されなくても、取得した第１情報（ＥＩｄコード）及び第２情報（ＳＩｄコード）を最大限に活用することで、受信状態が劣化した放送番組を収容するアンサンブルとは異なるアンサンブルに収容される複数の放送周波数から、第２情報（ＳＩｄコード）に基づいて同一内容の放送番組に関わる放送周波数を検索し、この検索された放送周波数に基づいて追従動作を行うことで、従来のような全放送周波数へのシーク動作を行うことなく、同一内容の放送番組への追従動作を迅速に行うことができる。
【００６２】
本発明の放送受信装置によれば、第１情報（ＥＩｄコード）、第２情報（ＳＩｄコード）及び第３情報（ＬＳＮコード）の取得状況に応じて、その取得された情報を最大限に活用することで、全放送周波数へのシーク動作を行うことなく、同一番組への追従動作を迅速に行うことができる。
【００６３】
本発明の放送受信装置によれば、第１情報（ＥＩｄコード）、第２情報（ＳＩｄコード）及び第３情報（ＬＳＮコード）のいずれも取得できなかった場合には全放送周波数へのシーク動作を実行するようにしたので、これら第１情報（ＥＩｄコード）、第２情報（ＳＩｄコード）及び第３情報（ＬＳＮコード）が取得できなかったとしても、同一番組への追従動作を確保することができる。
【図面の簡単な説明】
【図１】本発明の放送受信装置における実施の形態を示すＤＡＢ受信機内部の概略構成を示すブロック図である。
【図２】本実施の形態に示すＤＡＢ受信機のネットワーク管理データベースのデータ内容を示す説明図である。
【図３】本実施の形態に示すＤＡＢ受信機のリンケージ管理データベースのデータ内容を示す説明図である。
【図４】本実施の形態に示すＤＡＢ受信機の同一番組追従処理に関わる処理動作を示すフローチャートである。
【図５】一般的なＤＡＢ受信機のネットワーク管理データベースのデータ内容を示す説明図である。
【図６】一般的なＤＡＢ受信機のリンケージ管理データベースのデータ内容を示す説明図である。
【符号の説明】
１０  ＤＡＢ受信機（放送受信装置）
１２  ＤＡＢフロントエンド部（追従手段）
１３  ＤＡＢデコーダ部（情報記憶手段）
２１  制御部（情報記憶手段、検索手段、第１検索手段、第２検索手段、第３検索手段、選択手段、記憶判定手段）
３０  ネットワーク管理データベース（情報記憶手段）
４０  リンケージ管理データベース（情報記憶手段）
【図１】
0004260328.tif 000002
【図２】
0004260328.tif 000003
【図３】
0004260328.tif 000004
【図４】
0004260328.tif 000005
【図５】
0004260328.tif 000006
【図６】
0004260328.tif 000007